(57)【要約】【課題】本考案は、荷物の容量等に合わせ必要に応じて、バッグの収容部の形状を変化させ保持することができ、外観デザインを変化させて使用する事ができる手提げバックを提供する。【解決手段】バッグ本体の上部に、把持部を設け、バッグ本体、収容部の上部が開口し、収容部の底側面部の形状は湾曲状に形成し、袋となるバッグ本体の両側面部、両底側面部、底面部に、紐通し部を筒状に設け、その両上端を開口し、紐通し口部とし、その紐通し口部から紐を挿通させて、その紐の両端を引張操作することにより、紐通し部を収縮して収容部の形状を変化させて、使用する事ができる。又、収縮を維持する為には、紐を結ぶ、又は、固定する為にストッパー等の固定具を使用しても良い。又、紐通し部は、一対、或は、複数の紐通し部を並列して設け、紐の両端を引張操作して、紐通し部にそれぞれ通した紐で結ぶ、又は、固定具を使用しても良い。以上を、特徴とする手提げバックである。【選択図】図１
0003136812.tif 000002
【実用新案登録請求の範囲】
【請求項１】
上面を開口した袋状からなるバッグ本体の両底側面部を湾曲状に形成し、両側面部、両底側面部、底面部に、筒状の紐通し部を設け、その紐通し部の両上端部に、紐を通す紐通し口部を設け、その紐通し部に紐を挿通し、紐の両端を引張操作して、紐通し部を収縮して、収容部の形状を変化させて使用する事を特徴とする手提げバッグ。
【請求項２】
収容部の周囲に設けた紐通し部に、一対、或は、複数の紐通し部を並列して設け、それぞれの紐通し部に紐を挿通した請求項１記載の手提げバッグ。
【請求項３】
手提げバッグ上部に把持部を設けた請求項１、又は、請求項２記載の手提げバッグ。
【考案の詳細な説明】
【技術分野】
【０００１】  本考案は、荷物の容量等に合わせ必要に応じて、バッグの収容部の形状を変化させ保持することができ、外観デザインを変化させて使用する事ができる手提げバックに関するものである。
【背景技術】
【０００２】  従来、一般的なバッグの形状は、略函型状で特定されており、収納容積や、外観デザイン等を自由に変えることが出来なかった。したがって、バッグの中に荷物を収納する際、荷物の量によっては、袋の中で動いてしまい、袋の中から荷物が飛び出してしまう事があった。あるいは、サイズの異なる袋を複数持ち歩いて、荷物の量によって袋を使い分けていた。このような事を解消する為に、従来、次の特許文献１及び特許文献２が知られている。特許文献１は、手提袋本体の相対向する両側面に、袋状又は、輪状の挿通部を縦長に形成すると共に、この挿通部に上方に把持部を備えた紐又は細帯状の条体を挿通し、この条体の下端部を手提袋本体の下部に止着してなる手提袋である。（特許文献１参照）特許文献２は、上端部が開口し、一対の側面部が互いに重ね合わされて形成された袋部を備えたバッグで、上部袋部の左右方向の両側端部に、袋部の両側端部を収縮させて袋部の形状を変化しうる収縮構造が設けられ、上記袋部の収縮状態を維持しうる固定部材が設けられていることを特長とするバッグである。（勅許文献２参照）
【特許文献１】実開昭４９−４４６１１号公報
【特許文献２】登録実用新案第３１２２２７７号
【考案の開示】
【考案が解決しようとする課題】
【０００３】  そのために、次のような問題点があった。
（イ）  袋の中から、荷物が飛び出さないように、持ち手を結び使用して、袋の中か            ら荷物を取出す時に、手間がかかる。
（ロ）  複数の手提げバッグを持ち歩いて、少量の荷物の容量に合わせて、使い分け            をすると、手間がかかると同時に、手荷物が増えて、合理的ではない。
（ハ）  複数の手提げバッグを使用する事により、収納場所の確保等で、煩雑になり            不便である。
（ニ）  複数の手提げバッグを所持する事で、不経済でもあり、ひいては資源の無駄            にも繋がる。
（ホ）  上記特許文献１所載のバッグにおいては、上記条体と挿通部との摩擦が大き            くなるので、上記条体を引っ張って挿通部を収縮させにくい、又、挿通部を            収縮させて手提袋本体の外観デザインを変化させた場合、手提袋本体の開口            部が開いたままの状態になりやすく、手提袋内に収納した物を紛失しやすい            という不具合もある。
（ヘ）  上記特許文献２所載のバッグにおいては、両側面のみを収縮させることによ            り、収容部が浅くなり収納した荷物が飛び出してしまうこともあり、手提袋            内に収納した物を紛失しやすいという不具合もある。又、両側面のみを収縮            させることにより、外観のデザインも限られてしまう。
本考案は、これらの問題点を解決するためになされたものである。
【課題を解決するための手段】
【０００４】  バッグ本体（１）の上部に、把持部（１０）を設け、バッグ本体（１）収容部（３）の上部が開口し、収容部（３）の底面部の両側である両底側面部（４）を曲面状に形成し、袋となるバッグ本体（１）の両側面部（４）、両底側面部（６）、底面部（５）に、紐通し部（７）を筒状に設け、その両上端を開口し、紐通し口部（８）とし、その紐通し口部（８）から紐（９）を挿通させて、紐（９）両端を引張操作することにより、紐通し部（７）を収縮して収容部（３）の形状を変化させて、使用する事ができる。又、収縮を維持する為には、紐（９）を結んで使用する。あるいは、固定する為に紐（９）の両端にストッパー等の固定具（１２）を使用しても良い。又、紐通し部（７）は、一対、あるいは複数設け、紐通し部（７）にそれぞれ通した紐で結んで固定する。又は、紐（９）の両端に固定具（１２）を取付け使用しても良い。以上を、特徴とする手提げバックである。
【考案の効果】
【０００５】  本考案は、袋の中に入れる荷物の収納容積に応じて、バッグ本体（１）の収容部（３）の両側面部（４）、両底側面部（６）底面部（５）に取付けた筒状の紐通し部（７）に挿通した紐（９）を引張操作して、収縮させて、袋の収容部（３）の形状を変化させて、使用する事ができる。その為、異なる収納容積の複数の手提げバッグを所持しなくても良い、且つ、収容部（３）の両側面部（４）、両底側面部（６）底面部（５）に、紐通し部（７）があることにより、収縮加減で外観デザインに変化がある。把持部（１０）に、左右方向から手を入れて持つことにより、ギャザー模様（１６）は、バッグの側面に、把持部（１０）に、前後方向から手を入れて持つことにより、ギャザー模様（１６）は、バッグの正面に位置し、把持部（１０）を、持つ方向により、バッグ本体（１）側面のギャザー模様（１５）の向きが変化し、同時に、外観のデザインも変化し、ファッション性もある手提げバッグである。
【考案を実施するための最良の形態】
【０００６】  以下、本考案の実施の形態についてする。
【実施例１】
【０００７】  実施例１は、図１に示すように次のようになる。
（イ）  上部を開口した袋状のバッグ本体（１）の上部に把持部（１０）を設け、バ            ッグ本体（１）収容部（３）の上縁を開口部（２）とする。
（ロ）  収容部（３）の側面部（４）と底面部（５）の間に底側面部（６）を設ける            。
（ハ）  その両底側面部（６）は、湾曲状に形成する。
（ニ）  バッグ本体（１）の内側の両側面部（４）、両底側面部（４）底面部（５）            に、一体化された筒状の紐通し部（７）を設け、その紐通し部（７）の両上            端を開口し、紐通し口部（８）とする。
（ホ）  その紐通し口部（８）に紐（９）を挿通する。
（ヘ）  荷物の収納容積に応じて収容部（３）に取付けた紐（９）を、引張操作する            事により、筒状の紐通し部（７）を収縮して、収容部（３）の形状を変化さ            せて使用する。
（ト）  尚、収容部（３）に設けた筒状の紐通し部（７）及び紐（９）を一対に、も            しくは複数取付けても良い。
（チ）  引張操作して、収容部（３）を収縮させた紐（９）の両端は、結んで固定す            る。あるいは、固定させる為に固定具を使用して収容部（３）の収縮状態を            保持し、バッグ本体（１）の側面表にギャザー模様を形成する。
（リ）  バッグ本体（１）の表面にポケット（１１）を取付けて、ポケット口には、            留め具（１３）を付けても良い。
（ヌ）  そのポケットにバッグ本体（１）を畳んで収納して、ポケットを収納部とし            て使用しても良い。あるいは、別に収納袋を用意しても良い。
（ル）  バッグ本体（１）の開口部（２）を留める為の固定具や、ベルト（１４）、            ベルト（１４）の先端に留め具（１５）、あるいは、開閉自在の蓋を取付け            ても良い。
本考案は、以上のような構成よりなっている。
本考案を使用するときは、袋の中に入れる荷物の収納容積に応じて、バッグ本体（１）の収容部（３）の両側面部（４）、両底側面部（６）底面部（５）に取付けた筒状の紐通し部（７）に挿通した紐（９）を引張操作して、収容部（３）を収縮させて、紐（９）の両先端は結ぶ、あるいは、固定具（１２）により、袋の収容部（３）の形状を変化させ保持し、使用する事ができる手提げバッグである。
【実施例２】
【０００８】  図７に示すように、バッグ本体（１）の上部に、把持部（１０）を設け、バッグ本体（１）収容部（３）の上部が開口し、収容部（３）の側面部（４）と底面部（５）の間にある底側面部（６）は、湾曲状に形成し、袋となるバッグ本体（１）の両側面部（４）、両底側面部（６）、底面部（５）に、紐通し部（７）を筒状に設け、その両上端を開口し、紐通し口部（８）とし、その紐通し口部（８）から紐（９）を挿通させた紐通し部（７）を、一対、或いは、複数並列して設けて、紐（９）両端を引張操作することにより、紐通し部（７）を収縮して収容部（３）の形状を変化させて、使用する事ができる。又、収縮を維持する為には、隣合せた一対あるいは複数設けた紐（９）の先端で結んで使用する。あるいは、固定する為にストッパー等の固定具（１２）を使用しても良い。又、開口部（２）の上縁にベルト（１４）とその先端に留め部（１５）雄部を設け、開口部の対向するベルトの先端の当たる位置に留め部（１４）雌部を設けてベルトで開口自在とする。バッグ本体（１）の収容部（３）表面にポケット（１１）、ポケット口に留め具（１３）を取付けても良い。そして、取付けたポケット（１１）を収納袋として使用しても良い。以上を、特徴とする手提げバックである。
【図面の簡単な説明】
【０００９】
【図１】  本考案の斜視図
【図２】  本考案の要部拡大斜視図
【図３】  Ａ−Ａ′断面図
【図４】  Ｂ−Ｂ′断面図
【図５】  本考案の使用状態を示す斜視図
【図６】  本考案の使用状態を示す側面図
【図７】  本考案の第２実施例を示す斜視図
【図８】  本考案の第２の実施例の使用状態を示す斜視図
【図９】  本考案の第２の実施例の使用状態を示す側面図
【符号の説明】
【００１０】  １    バッグ本体
２    開口部
３    収容部
４    側面部
５    底面部
６    底側面部
７    紐通し部
８    紐通し口部
９    紐
１０    把持部
１１    ポケット
１２    固定具
１３    留め部
１４    ベルト
１５    留め部
１６    ギャザー模様
【図１】
0003136812.tif 000003
【図２】
0003136812.tif 000004
【図３】
0003136812.tif 000005
【図４】
0003136812.tif 000006
【図５】
0003136812.tif 000007
【図６】
0003136812.tif 000008
【図７】
0003136812.tif 000009
【図８】
0003136812.tif 000010
【図９】
0003136812.tif 000011